(57)【要約】【課題】複数系統の電力源を有効利用し、省エネルギー化を向上する。【解決手段】スリープモードでは、ＬＶＰＳ１のみが電力を供給する（ＬＶＰＳ２からの電力の供給を遮断）。電力切替コントローラ１２の監視部５６では、蓄電デバイス３０の充電状態を監視しており、蓄電デバイス３０の充電状態が良好、すなわち、予め定めた電力量を維持していると判定された場合は、トライアック２２を制御して、配線を開放状態とし、商用電源１４からの電力供給を遮断する。ＬＶＰＳ１からのメインコントローラ２００、電力切替コントローラ１２、ファクシミリ通信回路２３６への電力供給が断たれる。これに代わり、蓄電デバイス３０からの電力が供給され、メインコントローラ２００、電力切替コントローラ１２、ファクシミリ通信回路２３６には、電力供給が継続される。【選択図】図３
2012016096.tif 000002
【特許請求の範囲】
【請求項１】
商用電源から電力を受け当該電力を最大供給能力とする通常モード、この通常モードよりも低い電力の供給能力とするスリープモードの、少なくとも何れかへ遷移させるモード遷移制御手段と、
前記スリープモード時に特定の制御系へ電力を供給し続ける第１の電力供給手段と、
前記スリープモード時に電力の供給を遮断する第２の電力供給手段と、
前記スリープモード時に前記第１の電力供給部の電力供給先である前記特定の制御系へ別系統で電力を供給する第３の電力供給部と、
前記商用電源の電力供給を遮断する電源スイッチに対して下流側に設けられ、当該電源スイッチのオン・オフに拘らず、前記商用電源の電力供給配線系統を開状態又は閉状態とする配線系統開閉手段と、
前記スリープモード時に前記第３の電力供給手段から電力が供給されている場合に、前記配線系統開閉手段を制御して、商用電源の電力供給配線系統を開放状態とする制御手段と、
を有する電力供給制御装置。
【請求項２】
前記スリープモードへ遷移するとき、前記特定の制御系は、その内部の電力消費が段階的に低下していくように制御されており、
前記第３の電源部からの前記特定の制御系への電力供給は、当該特定の制御系の内部の電力消費量が予め定めた値以下となった後に実行する請求項１記載の電力供給制御装置。
【請求項３】
前記特定の制御系は、前記第１の電力供給手段からの電力供給を必要とする主制御部と、スリープモード時に復帰要因を監視する副制御部と、を備え、
前記特定の制御系の内部の電力消費量が予め定めた値以下となったか否かを、前記主制御部の機能停止で判断する請求項２記載の電力供給制御装置。
【請求項４】
前記制御手段が、前記スリープモードから前記通常モードへの復帰の契機により、前記電力供給配線系統を閉状態とする請求項１〜３の何れか１項記載の電力供給制御装置。
【請求項５】
前記特定の制御系が、前記第３の電力供給手段の電力で動作している状態から、前記第１の電力供給手段からの電力の供給に切り替えたとき、当前記特定の制御系の内部の電力消費量を高くする請求項１〜請求項４の何れか１項記載の電力供給制御装置。
【請求項６】
少なくとも当該第１の電力供給手段からの電力供給過渡期の立ち上がり時間が経過した後、前記特定の制御系の内部の電力消費量を高くする請求項５記載の電力供給制御装置。
【請求項７】
前記請求項１〜請求項６の何れか１項記載の電力供給制御装置を備え、前記デバイスが、原稿画像を読み取る画像読取手段と、画像データに基づいて記録用紙へ画像を形成する画像形成手段と、外部と画像を送受信するファクシミリ通信手段と、を有する画像処理装置。
【請求項８】
コンピュータを、前記請求項１〜請求項６の何れか１項記載の電力供給制御装置として実行させる電力供給制御プログラム。
【発明の詳細な説明】
【技術分野】
【０００１】
本発明は、電力供給制御装置、画像処理装置、電力供給制御プログラムに関する。
【背景技術】
【０００２】
複合機等の画像処理装置では、太陽電池や二次電池等による電源を省エネルギーモードに利用することが提案されている。
【０００３】
特許文献１には、省エネルギーモード時に商用電源電圧を入力として、本体回路部の電源電圧を供給する主電源をオフして、太陽電池回路による電源を本体回路部に供給して省エネルギー化を図ることが記載されている。
【０００４】
また、特許文献２には、ホスト電源検出手段によりホストがオフ時に省エネルギーモードに移行して、その場合にエンジン負荷等に供給する主電源（２４Ｖ、±１２Ｖ等）を供給停止し、待機電源でホスト電源検出手段／省エネ制御手段（３０、３１、３３）のみに電源供給を行うことが記載されている。また、この特許文献２には、待機電源を太陽電池と二次電池さらに小電力電源（４６）で構成して、省エネルギーモード時に太陽電池→二次電池→小電力電源の優先順位で使用することで省エネルギー化を図ることが記載されている。
【先行技術文献】
【特許文献】
【０００５】
【特許文献１】特開２００２−７８１９６公報
【特許文献２】特開２００２−６３０１１公報
【発明の概要】
【発明が解決しようとする課題】
【０００６】
本発明は、複数系統の電力源を有効利用し、本構成を有しない場合に比べて、省エネルギー化を向上することができる電力供給制御装置、画像処理装置、電力供給制御プログラムを得ることが目的である。
【課題を解決するための手段】
【０００７】
請求項１に記載の発明は、商用電源から電力を受け当該電力を最大供給能力とする通常モード、この通常モードよりも低い電力の供給能力とするスリープモードの、少なくとも何れかへ遷移させるモード遷移制御手段と、前記スリープモード時に特定の制御系へ電力を供給し続ける第１の電力供給手段と、前記スリープモード時に電力の供給を遮断する第２の電力供給手段と、前記スリープモード時に前記第１の電力供給部の電力供給先である前記特定の制御系へ別系統で電力を供給する第３の電力供給部と、前記商用電源の電力供給を遮断する電源スイッチに対して下流側に設けられ、当該電源スイッチのオン・オフに拘らず、前記商用電源の電力供給配線系統を開状態又は閉状態とする配線系統開閉手段と、前記スリープモード時に前記第３の電力供給手段から電力が供給されている場合に、前記配線系統開閉手段を制御して、商用電源の電力供給配線系統を開放状態とする制御手段と、を有している。
【０００８】
請求項２に記載の発明は、前記請求項１に記載の発明において、前記スリープモードへ遷移するとき、前記特定の制御系は、その内部の電力消費が段階的に低下していくように制御されており、前記第３の電源部からの前記特定の制御系への電力供給は、当該特定の制御系の内部の電力消費量が予め定めた値以下となった後に実行する。
【０００９】
請求項３に記載の発明は、前記請求項２に記載の発明において、前記特定の制御系は、前記第１の電力供給手段からの電力供給を必要とする主制御部と、スリープモード時に復帰要因を監視する副制御部と、を備え、前記特定の制御系の内部の電力消費量が予め定めた値以下となったか否かを、前記主制御部の機能停止で判断する。
【００１０】
請求項４に記載の発明は、前記請求項１〜請求項３の何れか１項記載の発明において、前記制御手段が、前記スリープモードから前記通常モードへの復帰の契機により、前記電力供給配線系統を閉状態とする。
【００１１】
請求項５に記載の発明は、前記請求項１乃至請求項４の何れか１項記載の発明において、前記特定の制御系が、前記第３の電力供給手段の電力で動作している状態から、前記第１の電力供給手段からの電力の供給に切り替えたとき、当前記特定の制御系の内部の電力消費量を高くする。
【００１２】
請求項６に記載の発明は、前記請求項５に記載の発明において、少なくとも当該第１の電力供給手段からの電力供給過渡期の立ち上がり時間が経過した後、前記特定の制御系の内部の電力消費量を高くする。
【００１３】
請求項７に記載の発明は、前記請求項１〜請求項６の何れか１項記載の電力供給制御装置を備え、前記デバイスとして、原稿画像を読み取る画像読取手段と、画像データに基づいて記録用紙へ画像を形成する画像形成手段と、外部と画像を送受信するファクシミリ通信手段とを有する画像処理装置である。
【００１４】
請求項８に記載の発明は、コンピュータを、前記請求項１〜請求項６の何れか１項記載の電力供給制御装置として実行させる電力供給制御プログラムである。
【発明の効果】
【００１５】
請求項１、請求項７、請求項８記載の発明によれば、複数系統の電力源を有効利用し、本構成を有しない場合に比べて、省エネルギー化を向上することができる。
【００１６】
請求項２に記載の発明によれば、本構成を有しない場合に比べて、第３の電力供給手段の消費電力を極力抑えることができる。
【００１７】
請求項３記載の発明によれば、特別な判定機能を不要とすることができる。
【００１８】
請求項４に記載の発明によれば、通常モードでの電力を確実に確保することができる。
【００１９】
請求項５、請求項６に記載の発明によれば、本構成を有しない場合に比べて、第３の電力供給手段の消費電力を極力抑えることができる。
【図面の簡単な説明】
【００２０】
【図１】本実施の形態に係る画像処理装置の概略図である。
【図２】本実施の形態に係るメインコントローラと電源装置との概略構成図である。
【図３】本実施の形態に係る電力供給系を示すブロック図である。
【図４】電力切替コントローラの監視部を主体とした電力供給制御回路図である。
【図５】本実施の形態に係る電力供給制御ルーチン（前段）を示すフローチャートである。
【図６】本実施の形態に係る電力供給制御ルーチン（後段）を示すフローチャートである。
【図７】本実施の形態に係るモード毎の電力供給制御の流れを示すタイミングチャートである。
【発明を実施するための形態】
【００２１】
図１には、本実施の形態に係る画像処理装置１０が示されている。画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部２４０又はファクシミリ通信制御回路２３６へ送出したりする。
【００２２】
メインコントローラ２００には図示しないインターネット等のネットワーク通信回線網が接続され、ファクシミリ通信制御回路２３６には図示しない電話回線網が接続されている。メインコントローラ２００は、例えば、ネットワーク通信回線網を介してホストコンピュータと接続され、画像データを受信したり、ファクシミリ通信制御回路２３６を介して電話回線網を用いてファクシミリ受信及びファクシミリ送信を実行する役目を有している。
【００２３】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、顕像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２４】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２５】
（メインコントローラ２００）
図２は、前記メインコントローラ２００の概略構成図である。
【００２６】
図２に示される如く、メインコントローラ２００は、ＣＰＵ２０４、ＲＡＭ２０６、ＲＯＭ２０８、電力管理機能付ＡＳＩＣ２１０、及びこれらを接続するデータバスやコントロールバス等のバス２１２を有している。電力管理機能付ＡＳＩＣ２１０には、ＵＩ制御回路２１４を介してＵＩタッチパネル２１６が接続されている。また、電力管理機能付ＡＳＩＣ２１０には、ハードディスク（ＨＤＤ）２１８、節電ボタン２１９が接続されている。電力管理機能付ＡＳＩＣ２１０の機能実行、並びに前記ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ−ＲＯＭ、ＤＶＤ−ＲＯＭ等）から該プログラムをインストールし、これに基づいてＣＰＵ２０４が動作することにより画像処理機能を実現してもよい。
【００２７】
なお、節電ボタン２１９は、所謂ハードスイッチ（物理的に操作するスイッチ）であり、押圧操作する毎に、装置に対して、節電、節電解除を交互に指示するようになっている。
【００２８】
本実施の形態のメインコントローラ２００は、画像処理デバイスに対して、待機モード、スリープモードを指示するようになっている。待機モードは電力供給状態であり、スリープモードは復帰要求を監視する制御部（通信回線や節電ボタンやFAX回線やそれが接続される電力管理機能付ＡＳＩＣ２１０等）を除いてＤＣ／ＤＣコンバータ２１９Ａ、２１９Ｂ、２１９Ｃの電源オン・オフ制御により電力遮断状態である。
【００２９】
電力管理機能付ＡＳＩＣ２１０には、タイマ回路２２０、通信回線Ｉ／Ｆ２２２が接続されている。さらに、電力管理機能付ＡＳＩＣ２１０には、ファクシミリ（ＦＡＸ）通信制御回路（モデム）２３６、画像読取部２３８、画像形成部２４０の各デバイスに接続されている。
【００３０】
なお、前記タイマ回路２２０は、前記ファクシミリ（ＦＡＸ）通信制御回路２３６、画像読取部２３８、画像形成部２４０を節電状態（電源非供給状態）とするための契機として、初期設定時間の計時を行うものである。
【００３１】
電力切替コントローラ１２（図３参照）はスリープモードの電源供給を切替制御する。
【００３２】
（電力供給系統）
図３には、本実施の形態の示される如く、メインコントローラ２００及び各画像処理デバイスへ電力を供給するためのシステム図が示されている。なお、図３では、電源線を１本の線で示しているが、実際には２本〜３本の配線である。
【００３３】
画像処理装置１０は、図１に示すように壁面Ｗまで配線された商用電源１４の配線プレート１６にコンセント１８を差し込むことで電力の供給を受けるようになっている。
【００３４】
図３に示される如く、コンセント１８は、主電源スイッチ２０の一端部に接続されている。また、主電源スイッチ２０の他端部は、トライアック２２を介して、定着部電圧供給部２４、第１の低電圧供給部２６（以下、「ＬＶＰＳ１」という場合がある）、第２の低電圧供給部２８（以下、「ＬＶＰＳ２」という場合がある）にそれぞれ接続されている。定着部電圧供給部２４は、主として画像形成部２４０の定着部に適用されるヒータ（ハロゲンランプやＩＨヒータ等）の加熱に適用される。また、ＬＶＰＳ２は、主として、画像形成部２４０、画像読取部２３８、ＵＩタッチパネル２１６（画像処理デバイス）の動作系に適用される。
【００３５】
また、ＬＶＰＳ１は、主としてメインコントローラ２００、ファクシミリ（ＦＡＸ）通信制御回路２３６の電力源として適用される。
ここで、ＬＶＰＳ１の出力線は、逆流防止用のダイオード２４を介してメインコントローラ２００へ接続されている。また、このダイオード２４のカソード側とメインコントローラ２００とを接続する接続線２６には、電力切替コントローラ１２及びファクシミリ（ＦＡＸ）通信回路２３６が接続されている。
【００３６】
また、ダイオード２４のカソード側には、蓄電デバイス３０からの出力線に接続された逆流防止用のダイオード２８のカソード側と接続されている。
【００３７】
このため、メインコントローラ２００、ファクシミリ（ＦＡＸ）通信制御回路２３６及び電力切替コントローラ１２には、ＬＶＰＳ１と蓄電デバイス３０との双方から電力が供給可能となる。なお、同時に電力が供給されたとしても、ダイオード２５、２７によって、それぞれに逆流することはない。また電力切替コントローラ１２をＬＶＰＳ１から電力供給したくない場合は、接続線２６に接続しないで蓄電デバイス３０に接続しても良い。
【００３８】
一方、ＬＶＰＳ２は、ＵＩタッチパネル２１６、画像読取部２３８、画像形成部２４０、蓄電デバイス３０が接続されている。
【００３９】
蓄電デバイス３０には、予め定められた電力量が蓄積されるようになっており、その電力源として、ＬＶＰＳ２からの商用電源１４の電力他、ソーラーパネル３４による発電電力が供給され、充電される。
【００４０】
本実施の形態の画像処理装置１０では、各部で商用電力を供給する通常モードに加え、デバイスが非稼働状態のとき、商用電源からの電力を遮断するスリープモードを設けている。
【００４１】
通常モードでは、ＬＶＰＳ１からメインコントローラ２００、ファクシミリ（ＦＡＸ）通信回路２３６、電力切替コントローラ１２へ商用電源１４からの電力が供給され、ＬＶＰＳ２からＵＩタッチパネル２１６、画像読取部２３８、画像形成部２４０へ商用電源１４からの電力が供給されるようになっている。
【００４２】
一方、スリープモードでは、ＬＶＰＳ１のみが電力を供給する。言い換えれば、ＬＶＰＳ２からの電力の供給を遮断する。なお、定着部電圧供給部２４からの電力供給は、省エネ性の面から、スリープモード時は、定着部電圧供給部２４を電力遮断状態にしている。
【００４３】
ここで、電力切替コントローラ１２の監視部５６（図４参照）では、蓄電デバイス３０の充電状態を監視しており、蓄電デバイス３０の充電状態が良好、すなわち、予め定めた電力量を維持していると判定された場合は、トライアック２２を制御して、配線を開放状態とし、商用電源１４からの電力供給を遮断するようにしている。これにより、ＬＶＰＳ１からのメインコントローラ２００、電力切替コントローラ１２、ファクシミリ（ＦＡＸ)通信回路２３６への電力供給が断たれることになる。しかし、これに代わり、蓄電デバイスの出力電圧を制御するＤＣ／ＤＣコンバータ２１９Ｄを出力オンして、蓄電デバイス３０からの電力が供給されるため、メインコントローラ２００、電力切替コントローラ１２、ファクシミリ（ＦＡＸ)通信回路２３６には、電力供給が継続される。
【００４４】
図４は、電力切替コントローラ１２の監視部５６を主体とした、電力供給切替制御のための機能ブロック図が示されている。なお、図４では、図３に示す機能の一部を省略してある。
【００４５】
ソーラーパネル３４によって発生する発電部に配線された信号線５０は、蓄電デバイス３０のプラス側端子に接続されている。蓄電デバイス３０は、例えばコンデンサ等の容量性蓄電部材の他、充電可能な電池が適用可能である。蓄電デバイス３０のマイナス側はアースされている。これにより、蓄電デバイス３０には、ＬＶＰＳ２及びソーラーパネル３４から電力の供給を受けて充電されるようになっている。ＬＶＰＳ２からの入力電圧を蓄電デバイス３０に合せて電圧制御する入力電圧制御回路３０Ａが蓄電デバイス３０にあり、ＬＶＰＳ２からの充電オン/オフも制御する。
【００４６】
蓄電デバイス３０の両端には、それぞれ電圧検出信号線５２、５４が接続され、監視部５６の一部を構成する電圧センサ５８に接続されている。
【００４７】
電圧センサ５８は、電圧値取込部６０に接続され、適宜電圧値が取り込まれるようになっている。
【００４８】
電圧取込部６０は、判定部６２に接続されている。判定部６２は、予め定められた充電量しきい値（電圧値）と比較することで、蓄電デバイス３２の充電量が充分か否か（ＯＫ／ＮＧ）が判断され、その結果を電源系統切替制御部６４へ出力する。
【００４９】
電源系統切替部６４は、トライアック２２を制御し、商用電源１３からの電力供給を受けるか（電源線の閉止状態）、或いは電力供給を遮断するか（電源線の開放状態）を選択するようになっている。
【００５０】
以下、本実施の形態の作用を説明する。
【００５１】
図５及び図６は、電力供給制御の流れを示すフローチャートである。
【００５２】
図５は、メインコントローラ２００における電力供給制御であり、ステップ１００では、ジョブを受け付けたか否かが判断され、肯定判定されると、ステップ１０２へ移行して、ジョブの実行処理を行い、このルーチンは終了する。
【００５３】
また、ステップ１００で否定判定されると、ステップ１０４へ移行して所定時間が経過したか否かが判断される。このステップ１０４で否定判定されると、ステップ１０６へ移行して、節電ボタン２１９が操作されたか否かが判断される。また、このステップ１０６で否定判定されると、このルーチンは終了する。
【００５４】
前記ステップ１０４で肯定判定されると、ステップ１１０へ移行して、画像処理デバイスをスリープモードへ遷移させる。
【００５５】
この結果、ＬＶＰＳ１はオン（電力供給継続）、ＬＶＰＳ２はオフ（電力供給遮断）となる。
【００５６】
次のステップ１１２では、蓄電デバイス３０の電力量を読み出し、ステップ１１４へ移行する。ステップ１１４では、商用電源１４を遮断しても充分な電力量が蓄積されているか否か（商用電源遮断ＯＫか否か）が判断され、肯定判定されると、ステップ１１５で蓄電デバイスの出力オンをして、ステップ１１６へ移行してトライアック２２をオフし、ＬＶＰＳ１の電力源を遮断する。この結果、メインコントローラ２００、電力切替コントローラ１２等へは、蓄電デバイス３０から電力が供給される。
【００５７】
また、ステップ１１４で否定判定、すなわち、商用電源１４を遮断できないと判断（蓄積デバイス３０の電力量が不十分と判断）された場合は、トライアック２２をオンのままとする。これにより、ＬＶＰＳ１からの電力がメインコントローラ２００、電力切替コントローラ１２等へ供給され続けた状態でこのルーチンは終了する。
【００５８】
なお、このフローチャートでは、記載していないが、例えば、商用電源１４又はソーラーパネル３４からの充電が進み、蓄電デバイス３０が充分な電力量となった時点で、トライアック２２をオフするようにしてもよい。
【００５９】
前記ステップ１０６で肯定判定された場合、すなわち、節電ボタン２１９が操作された場合は、ステップ１０４で肯定判定（所定時間が経過したとき）と同じ制御であり、ステップ１１０へ移行して、上記工程を実行する。
【００６０】
次に、図６のステップ１５２では、節電ボタン２１９が操作されたか否かが判断され、否定判定された場合は、ステップ１５４へ移行して、メインコントローラ２００からジョブ受付情報があったか否かが判断される。このステップ１５４で否定判定された場合は、ステップ１５２へ戻り、ステップ１５２、１５４の何れかで肯定判定されるまで繰り返す。
【００６１】
ステップ１５２又はステップ１５４で肯定判定されると、ステップ１５６へ移行して、通常モードへ遷移させる。この通常モードは、トライアック２２をオンさせ、商用電源１４からの電力で、ＬＶＰＳ１、２が共にオン（電力供給）となる。
【００６２】
次のステップ１５８では、メインコントローラ２００が制御可能な状態に立ち上がったか否かが判断される。この「制御可能な状態に立ち上がる」とは、ＬＶＰＳ１の一次側に商用電源１４の電力が供給され、二次側から正常電圧（例えば、５Ｖ）が出力されたか否かが判断される。このステップ１５８で肯定判定されると、ステップ１６６へ移行して、この電力切替コントローラ１２での電力供給制御を終了する。
【００６３】
次に、図７のタイミングチャートに従い、モード毎の電力供給制御の流れを説明する。なお、この図７におけるモードは、ＬＶＰＳ１，ＬＶＰＳ２，定着部電圧供給部２４が全てオン状態である通常モード（スタンバイモード）と、少なくともＬＶＰＳ２がオフとなるスリープモードの他、主電源スイッチオフモード、ウォームアップモードがあり、さらに、単に「スリープモード」はＬＶＰＳ１がオンのときを指し、「スリープ０Ｗモード」はトライアック２２及びＬＶＰＳ１がオフのときを指す。
【００６４】
主電源スイッチ２０がオフからオンになると、ウォームアップモードへ遷移し、ＬＶＰＳ１、２がオンとなり、メインコントローラ２００の消費電力が、０Ｗから１５Ｗとなる。
【００６５】
その後、通常モード（スタンバイモード）となり、ジョブの受付に応じて画像処理等が実行される。
【００６６】
その後、画像処理が一定期間実行されない、或いは節電ボタン２１９が操作されると、スリープモードへ遷移する。このとき、ＬＶＰＳ２がオフとなり、メインコントローラ２００では、スリープモード遷移の準備のための処理（スリープ遷移処理）が消費電力７Ｗで実行される。このときの処理は、長いときは１〜２分必要となる場合もある。
【００６７】
前記スリープ遷移処理が終了すると、ＣＰＵ２０４がオフされてメインコントローラ２００の消費電力は０．７Ｗ程度まで下がり、蓄電デバイス３０の充電量が充分であることを条件として、蓄電デバイス３０からの電力を供給する。消費電力が低い状態で蓄電デバイスをオンするために蓄電デバイスの消費電力を抑制できる。蓄電デバイスがオンした後にトライアック２２をオフ（ＬＶＰＳ１を電力遮断状態）する。これにより、モードは、スリープ０Ｗモードとなる。
【００６８】
なお、蓄電デバイス３０のオンと、ＬＶＰＳ１のオフとの間には、双方がオンとなる期間を積極的に設けており、メインコントローラ２００等への電力供給が一時的に遮断されることを防止している。この場合、図３のダイオード２４、２８により、双方への電流の逆流はない。
【００６９】
次に、スリープ０Ｗモードから復帰要因（ジョブ受付情報、節電ボタン操作）があると、トライアック２２がオン（ＬＶＰＳ１がオン）となり、この結果、メインコントローラ２００がＣＰＵリセット解除動作を行うことになる。しかし、トライアック２２のオンと同時にメインコントローラ２００がＣＰＵリセット解除動作を実行しようとすると、ＬＶＰＳ１からの電力が完全に立ち上がっていないため、電力不足となる場合がある。
【００７０】
そこで、本実施の形態では、ＣＰＵリセット解除動作の開始を、トライアック２２のオン時よりも遅らせる（例：約０．３ｍｓｅｃ程度）。その後、リセット解除動作が開始され、メインコントローラ２００は約７Ｗ程度の電力消費となるが、このときは、ＬＶＰＳ１からの電力が確実に供給されているため、電力不足となるようなことはない。また蓄電デバイスの消費電力を抑制できる。
【００７１】
メインコントローラ２００のリセット解除動作に伴い、蓄電デバイス３０からの電力供給は遮断される。また、メインコントローラ２００は、リセット解除動作が終了すると、基板全体が通電されていき、約１５Ｗの電力消費となる。
【００７２】
その後、ＬＶＰＳ２をオン（前記スリープ復帰要因時のＬＶＰＳ１のオンと同時でもよい）して、画像処理デバイスへ電力を供給する。上記のＣＰＵリセット解除動作による制御は、ＣＰＵ２０４に電力供給するＤＣ／ＤＣコンバータ２１９Ｄのオフ/オンの時間制御で実施しても良い。
【００７３】
なお、本実施の形態では、監視部５６を電力切替コントローラ１２の一部としたが、メインコントローラ２００に設けてもよい。また、蓄電デバイス３０に、予め定められた充電量を境界として、二値信号を出力（例えば、充電量満足時はＨ信号、充電量不足時はＬ信号を出力）するようにしてもよい。電力切替コントローラ１２では、この二値信号に基づいてトライアック２２を制御すればよい。
【００７４】
また、商用電源１４以外の電力としてソーラーパネル３４による太陽エネルギーを示したが、この太陽エネルギーの他、商用電源１４以外の電力供給源として、画像読取部２３８や画像形成部２４０で適用されるモータの回転による発電、或いは制動時の回生エネルギー等が適用可能である。
【符号の説明】
【００７５】
１０    画像処理装置
Ｗ    壁面
１４    商用電源
１６    配線プレート
１８    コンセント
２０    主電源スイッチ
２２    トライアック
２４    定着部電圧供給部
２５    ダイオード
２６    第１の低電圧供給部（ＬＶＰＳ１）
２７    ダイオード
２８    第２の低電圧供給部（ＬＶＰＳ２）
３０    蓄電デバイス
３４    ソーラーパネル
５０    信号線
５２、５４    電圧検出信号線
５６    監視部
５８    電圧センサ
６０    電圧値取込部
６２    判定部
６４    電源系統切替制御部
２００    メインコントローラ
２０４    ＣＰＵ
２０６    ＲＡＭ
２０８    ＲＯＭ
２１０    電力管理機能付ＡＳＩＣ
２１２    バス
２１４    ＵＩ制御回路
２１６    ＵＩタッチパネル
２１８    ハードディスク
２１９Ａ〜Ｃ    ＤＣ／ＤＣコンバータ
２１９    節電ボタン
２２０    タイマ回路
２２２    通信回線Ｉ／Ｆ
２３６    ファクシミリ通信制御回路
２３８    画像読取部
２４０    画像形成部
【図１】
2012016096.tif 000003
【図２】
2012016096.tif 000004
【図３】
2012016096.tif 000005
【図４】
2012016096.tif 000006
【図５】
2012016096.tif 000007
【図６】
2012016096.tif 000008
【図７】
2012016096.tif 000009